(57)【要約】      （修正有）【課題】透明矩形の前面アクリル板と透明矩形の背面アクリル板の間に展示物を挟持して掲示するフォトフレームであって、展示物がずれることなく挟持され、且つ透明矩形の前面アクリル板の表面にボルト頭部の突起物を無くし、前面アクリル板の表面周縁部に任意の装飾模様を印刷できるように構成したフォトフレームを提供する。【解決手段】透明矩形の前面アクリル板１の裏面の四隅にアクリル製のボルト４の頭部を、接着剤を介して固定し、該ボルト４を透明矩形の背面アクリル板５の四隅に穿設された穿孔５１に挿通し、ナット６を螺着して固定し、該ナット６にシリコンゴムキャップ７を嵌着したフォトフレーム。【選択図】図２
2014004304.tif 000002
【特許請求の範囲】
【請求項１】
透明矩形の前面アクリル板と透明矩形の背面アクリル板の間に展示物を挟持して掲示するフォトフレームであって、透明矩形の前面アクリル板の裏面の四隅にアクリル製のボルトの頭部を、接着剤を介して固定し、該ボルトを透明矩形の背面アクリル板の四隅に穿設された穿孔に挿通し、ナットを螺着して固定し、該ナットにシリコンゴムキャップを嵌着したことを特徴とするフォトフレーム。
【請求項２】
背面アクリル板に穿設された穿孔の形状が、前面アクリル板に固定されたボルトの形状に合致するように形成されていることを特徴とする請求項１記載のフォトフレーム。
【請求項３】
透明矩形の前面アクリル板の表面周縁部に任意の装飾模様を印刷可能に構成したことを特徴とする請求項１記載のフォトフレーム。
【発明の詳細な説明】
【技術分野】
【０００１】  本考案はフォトフレームに関し、特に透明矩形の前面アクリル板と透明矩形の背面アクリル板の間に展示物を挟持して掲示するフォトフレームであって、透明矩形の前面アクリル板の裏面の四隅にアクリル製のボルトの頭部を、接着剤を介して固定し、該ボルトを透明矩形の背面アクリル板の四隅に穿設された穿孔に挿通し、ナットを螺着して固定し、該ナットにシリコンゴムキャップを嵌着したことを特徴とするフォトフレームであり、背面アクリル板に穿設された穿孔の形状が、前面アクリル板に固定されたボルトの形状に合致するように形成されているので挟持する展示物がずれることなく挟持され、且つ透明矩形の前面アクリル板の表面周縁部に任意の装飾模様を印刷できるように構成したフォトフレームに関する。
【背景技術】
【０００２】  これまで多くのフォトフレームや額縁が考案され、主に表裏２枚のアクリル板に写真や絵はがきを挟持して展示するものが使用されており、その一例として特開２００８−１６８０４０号公報が公開されている。
【先行技術文献】
【特許文献】
【０００３】
【特許文献１】  特開２００８−１６８０４０号公報
【発明の概要】
【発明が解決しようとする課題】
【０００４】  前記せる特開２００８−１６８０４０号公報では、表裏２枚のアクリル板の四隅に貫通孔を有し、これにボルトを挿通して２枚のアクリル板を固定し、その２枚のアクリル板の間に写真や絵はがき等を挟持させて展示するように構成されていた。【０００５】  しかしながら、前記せる公報では、前面のアクリル板の四隅の表面にボルトの頭が露出しており、このボルトの頭が非常に目立ちやすく目ざわりであり、挟持する写真や絵はがきを目立たせるためには不向きであった。【０００６】  これに対して本考案は挟持する展示物のみを目立たせるように、前面アクリル板の表面には目ざわりな突起物などのないシンプルな形状のフォトフレームを提供している。【０００７】  更に本考案の課題は、組立て容易であると共に分解も容易にできるフォトフレームを提供するものであって、好みにあわせて展示物を容易に交換できるものである。
【課題を解決するための手段】
【０００８】  本考案は透明矩形の前面アクリル板と透明矩形の背面アクリル板の間に展示物を挟持して掲示するフォトフレームであって、透明矩形の前面アクリル板の裏面の四隅にアクリル製のボルトの頭部を、接着剤を介して固定し、該ボルトを透明矩形の背面アクリル板の四隅に穿設された穿孔に挿通し、ナットを螺着して固定し、該ナットにシリコンゴムキャップを嵌着したことを特徴とし、背面アクリル板に穿設された穿孔の形状が、前面アクリル板に固定されたボルトの形状に合致するように形成されていることを特徴とし、且つ、透明矩形の前面アクリル板の表面周縁部に任意の装飾模様を印刷可能に構成したことを特徴とするフォトフレームである。【０００９】  両面粘着テープを用いて、展示物を背面アクリル板に貼りつけてから、背面アクリル板を前面アクリル板に装着すれば、前面アクリル板と背面アクリル板とが完全一致して積層状態に装着されるので、展示物のズレが生ずることがなく、安定して装着される。
【発明の効果】
【００１０】  本考案によれば前面アクリル板と背面アクリル板の間に展示物を挟み、挟持した展示物がずれることなく容易にセットでき、また分解が容易であるので、好みの展示物を容易に交換セットできる効果があり、また前面アクリル板の表面に突起物がなく、展示物を際立たせるための装飾を前面アクリル板の表面の周縁部に印刷等によって施すことができる効果がある。【００１１】  また、フォトフレームを壁に取付ける場合、ナットに嵌着したシリコンゴムキャップによって、壁に傷がつきにくく、且つ、フレームのズレや傾き防止になる。
【図面の簡単な説明】
【００１２】
【図１】本発明フォトフレームの平面図である。
【図２】図１のＡ−Ａ線における断面図である。
【図３】本発明フォトフレームの背面図である。
【図４】従来例フォトフレームの部分断面図である。
【図５】図２の分解図である。
【発明を実施するための形態】
【００１３】  以下、図面に基づいて、本発明を実施するための形態を具体的に説明する。
図１乃至図２に示すように、本発明のフォトフレームは、透明矩形の前面アクリル板１と透明矩形の背面アクリル板５の間に展示部２を挟持して掲示するフォトフレームであって、透明矩形の前面アクリル板１の裏面の四隅にアクリル製のボルト４のボルト頭部４１を、接着剤４１１を介して固定し、該ボルト４を透明矩形の背面アクリル板１の四隅に穿設された穿孔５１に挿通し、ナット６を螺着して固定し、該ナット６に更にシリコンゴムキャップ７を嵌着して完成させる。
【００１４】  図２乃至図５に示すように、上記の操作を行う前に背面アクリル板５に両面粘着テープ２１を介して展示物２を固定し、前面アクリル板１と背面アクリル板５とを重ね合わせ、ボルト４を透明矩形の背面アクリル板５の四隅に穿設された穿孔５１に挿通して、ナット６を螺着して固定し、該ナット６に更にシリコンゴムキャップ７を嵌着して完成させる。
【００１５】  図２乃至図５に示すように、背面アクリル板５に穿設された穿孔５１の形状は前面アクリル板１に固定されたボルト４の形状に合致するように形成されている。
【００１６】  したがって、このような構造によれば、前面アクリル板１と背面アクリル板５とは完全に重ね合わさり、挟持した展示物２もズレたりすることはない。
【００１７】  図２乃至図５に示す係止部材８，８１と係止部材９を用いて縦方向又は横方向に向けてフォトフレームを壁５００に取り付ける場合、ナット６に嵌着したシリコンゴムキャップ７によって、壁に傷がつきにくく、且つ、フレームのズレや傾き防止になる。
【００１８】  図４に示す従来例では、従来例前面アクリル板１０には孔部１０１が形成されており、従来例背面アクリル板５０には孔部５０１が形成されており、この孔部１０１，５０１にボルト４０が挿通され、従来例ボルト頭部４０１が前面アクリル板１の表面に突出している。
【００１９】  この突出部のために従来前面アクリル板１０の表面周縁部には印刷や貼りつけによって装飾模様を施すことができなかった。
【００２０】  これに対して、本発明のフォトフレームでは、透明矩形の前面アクリル板１の表面周縁部に装飾模様２１，２２，２３等の任意の模様を印刷や貼りつけ等の手段によって形成することができる。
【産業上の利用可能性】
【００２１】  以上説明したように、本発明のフォトフレームは、極めてシンプルな構造で組立て、又は分解することができ、展示物の交換も容易で、好みの展示物を容易に入れ替えることができるので、便利に使用できる利用可能性がある。
【符号の説明】
【００２２】  １．前面アクリル板
２．展示物
２１．両面粘着テープ
３１．装飾模様
３２．装飾模様
３３．装飾模様
４．ボルト
４１．ボルト頭部
４２．ネジ部
４１１．接着剤
５．背面アクリル板
５１．穿孔
６．ナット
６１．従来例ナット
７．シリコンゴムキャップ
８．係止部材
８１．係止部材
９．係止部材
１０．従来例前面アクリル板
１０１．孔部
５０１．孔部
４０．従来例ボルト
４０１．従来例ボルト頭部
４０２．従来例ネジ部
５００．壁
【図１】
2014004304.tif 000003
【図２】
2014004304.tif 000004
【図３】
2014004304.tif 000005
【図４】
2014004304.tif 000006
【図５】
2014004304.tif 000007